(57)【要約】【課題】  建物の床下等の施工する防蟻用バリア層の防蟻性能を、実際の施工状況に即した状態で簡単且つ安価に把握することがきる防蟻性能試験装置を提供する。【解決手段】  この防蟻性能試験装置は、コンクリート製の枠体(２)内に充填した土壌層(４)の上側に、枠体(２)の内周面との間にシロアリの通路となる隙間(Ｓ)を形成するようにしてコンクリート層(７)を設け、土壌層(４)とコンクリート層(７)との間に隙間(Ｓ)を塞ぐようにしてバリア層(６)を介在させるとともに、コンクリート層(２)の上面にシロアリによって食害される試験体(８)を設置している。【選択図】  図１
2006322719.tif 000002
【特許請求の範囲】
【請求項１】
防蟻用バリア層の防蟻性能を把握するための試験装置であって、コンクリート製の枠体内に充填した土壌層の上側に、前記枠体の内周面との間にシロアリの通路となる隙間を形成するようにしてコンクリート層を設け、前記土壌層とコンクリート層との間に前記隙間を塞ぐようにして前記バリア層を介在させるとともに、前記コンクリート層の上面にシロアリによって食害される試験体を設置したことを特徴とする防蟻性能試験装置。
【請求項２】
防蟻用バリア層の防蟻性能を把握するための試験装置であって、コンクリート製の枠体内に充填した土壌層の上側に、前記枠体の内周面との間にシロアリの通路となる隙間を形成するようにしてコンクリート層を設け、前記コンクリート層の上側に前記隙間を塞ぐようにして前記バリア層を設けるとともに、前記コンクリート層の上面にシロアリによって食害される試験体を設置したことを特徴とする防蟻性能試験装置。
【請求項３】
前記隙間に、シロアリによって食害される紙材若しくは木材を充填した請求項１又は２記載の防蟻性能試験装置。
【請求項４】
防蟻用バリア層の防蟻性能を把握するための試験装置であって、枠体内に充填した土壌層に対して管材を上下方向に挿通させて、その管材の上端部にシロアリによって食害される試験体を設置し、シロアリの通路となる前記管材の外周面及び／又は内周面の所定高さ分を前記バリア層で覆うようにしたことを特徴とする防蟻性能試験装置。
【請求項５】
前記枠体の開放上端部を、断熱機能を有する蓋部材で覆うようにした請求項１乃至４のいずれかに記載の防蟻性能試験装置。
【請求項６】
前記枠体の上端面と前記蓋部材との間の隙間に、防蟻剤を含有するコーキング材を介在した請求項５記載の防蟻性能試験装置。
【発明の詳細な説明】
【技術分野】
【０００１】
この発明は、例えば建物の床下等に施工する防蟻用バリア層の防蟻性能を把握するための防蟻性能試験装置に関する。
【背景技術】
【０００２】
従来より、建物の床下等において防蟻用バリア層を形成することで、土壌から建物へのシロアリの侵入を防止する防虫構造が提案されている。
【０００３】
この種の防蟻用バリア層としては、例えば土壌面の一部又は全体に液状の薬剤を散布したものや、土壌面の一部又は全体に薬剤を含有する粒材を敷き詰めたものや、特許文献１や特許文献２に開示されているように無機物粒子を敷き詰めてなるものなどがある。
【０００４】
【特許文献１】特開２００１−１１９６２号公報
【特許文献２】特開２００１−１１９６３号公報
【発明の開示】
【発明が解決しようとする課題】
【０００５】
しかしながら、従来においては、上記のような防蟻用バリア層の防蟻性能を施工前に把握するための試験装置が十分に確立されていなかった。特に、実際の施工状況に即した状態での防蟻用バリア層の防蟻性能を把握するためには、実際の施工現場を再現した大掛かりな試験装置を用いる場合が多く、多大な手間と費用を要していた。
【０００６】
そこで、この発明は、上記の不具合を解消して、シロアリの侵入を防止するための防蟻用バリア層の防蟻性能を、実際の施工状況に即した状態で簡単且つ安価に把握することがきる防蟻性能試験装置の提供を目的とする。
【課題を解決するための手段】
【０００７】
上記の課題を解決するため、この発明に係る防蟻性能試験装置は、コンクリート製の枠体内に充填した土壌層の上側に、前記枠体の内周面との間にシロアリの通路となる隙間を形成するようにしてコンクリート層を設け、前記土壌層とコンクリート層との間に前記隙間を塞ぐようにして前記バリア層を介在させるか、或いは、前記コンクリート層の上側に前記隙間を塞ぐようにして前記バリア層を設けて、前記コンクリート層の上面にシロアリによって食害される試験体を設置したことを特徴とする。
【０００８】
さらに、前記隙間に、シロアリによって食害される紙材若しくは木材を充填している。
【０００９】
別の発明に係る防蟻性能試験装置は、枠体内に充填した土壌層に対して管材を上下方向に挿通させて、その管材の上端部にシロアリによって食害される試験体を設置し、シロアリの通路となる前記管材の外周面及び／又は内周面の所定高さ分を前記バリア層で覆うようにしたことを特徴とする。
【００１０】
また、上記の防蟻性能試験装置において、前記枠体の開放上端部を、断熱機能を有する蓋部材で覆うようにしている。
【００１１】
さらに、前記枠体の上端面と前記蓋部材との間の隙間に、防蟻剤を含有するコーキング材を介在している。
【発明の効果】
【００１２】
この発明に係る防蟻性能試験装置を使用して、枠体内に設けた試験体の食害状況を確認することで、例えば実際の施工現場において、建物の床下における土間コンクリート等のコンクリート層の隙間部分に対応して施工される防蟻用バリア層の防蟻性能を簡単且つ安価に把握することができる。
【００１３】
別の発明に係る防蟻性能試験装置では、例えば実際の施工現場において、建物の床下における配管等の管材の挿通箇所に対応して施工される防蟻用バリア層の防蟻性能を簡単且つ安価に把握することができる。
【００１４】
さらに、枠体の開放上端部を断熱機能を有する蓋部材で覆うことで、直射日光による枠体内の温度上昇や枠体内の結露の発生を防止することができ、枠体内をシロアリが活動し易い環境にして試験を促進させることができる。さらにまた、枠体の上端面と蓋部材との間の隙間を防蟻剤を含有したコーキング材で塞ぐことで、外部から枠内へのシロアリの侵入を防止して、試験結果の信頼性を高めることができる。
【発明を実施するための最良の形態】
【００１５】
(第１の実施形態)
図１及び図２は、この発明の第１の実施形態に係る防蟻性能試験装置を示している。
【００１６】
この防蟻性能試験装置(１)は、シロアリ暴露試験場に設置され、基礎の立ち上がり部を想定した防蟻性を有する角筒状のコンクリート製の枠体(２)を備えている。この枠体(２)内には、上面中央部に直方体状の隆起部(３)を有する土壌層(４)が充填されており、その土壌層(４)がシロアリ暴露地(５)に臨んでいる。
【００１７】
そして、土壌層(４)の隆起部(３)を囲むようにして、隆起部(３)の外周面と枠体(２)の内周面との間に防蟻用バリア層(６)が敷設されている。なお、防蟻用バリア層(６)としては、薬剤を含有する粒材を敷き詰めたもの、無機物粒子を敷き詰めたもの、土壌層の上面に液状の薬剤を散布したもの等が挙げられる。
【００１８】
また、土壌層(４)の隆起部(３)及びバリア層(６)の上側に、土間コンクリートを想定したコンクリート層(７)が設けられて、このコンクリート層(７)の上面に餌木(８)が設置されている。枠体(２)の内周面とコンクリート層(７)との間には、シロアリによって食害される紙材である段ボール(９)が充填されていて、シロアリ通過用の通路となる１ｍｍ以上の隙間(Ｓ)が確保されている。
【００１９】
なお、枠体(２)の内周面に沿って予め段ボール(９)を設けておいて、その後コンクリートを打設してコンクリート層(７)を施工することで、隙間(Ｓ)が自ずと確保されるようにしている。また、段ボール(９)は必ずしも設ける必要はなく、例えば段ボール(９)の代わりにシロアリによって食害される木材を隙間(Ｓ)に充填しても良い。さらに、段ボール(９)の代わりにプラスチック板等を設けておいて、コンクリート層(７)の施工後にプラスチック板を取り除くことで、充填物のない隙間(Ｓ)を確保するようにしても良い。
【００２０】
また、枠体(２)の開放上端部は、金属板(10)の上面に断熱材(11)を設置した断熱機能を有する蓋部材(12)で覆われている。これにより、枠体(２)内への直射日光の照射を遮るとともに、枠体(２)内での結露の発生を防止して、枠体(２)内をシロアリが活動し易い環境にしている。さらに、蓋部材(12)の上面には、コンクリートブロック(13)等の質量体が載置されて、蓋部材(12)を押さえ付けるようにしている。枠体(２)の上端面と蓋部材(12)の金属板(10)との間の隙間には、シロアリの侵入を防止するために防蟻剤を含有したコーキング材(14)が介在されている。
【００２１】
すなわち、この防蟻性能試験装置(１)においては、土壌層(４)とコンクリート層(７)との間に、隙間(Ｓ)を塞ぐようにしてバリア層(６)を介在させることで、土壌層(４)から隙間(Ｓ)を通って餌木(８)に至るシロアリの通路をバリア層(６)によって遮断している。
【００２２】
このようにして構成されている防蟻性能試験装置(１)を使用することで、例えば実際の施工現場において、建物の床下における基礎の立ち上がり部と土間コンクリートとが接する箇所に対応して、土壌面の一部を覆うようにして施工される防蟻用バリア層の防蟻性能を簡単且つ安価に把握することができる。
【００２３】
(第２の実施形態)
図３は、第２の実施形態に係る防蟻性能試験装置を示している。
【００２４】
この防蟻性能試験装置(20)は、枠体(２)内に、シロアリ暴露地(５)に臨むようにして土壌層(21)が充填されて、その土壌層(21)の上側に、コンクリート層(７)が設けられて、このコンクリート層(７)の上面に餌木(８)が設置されている。枠体(２)の内周面とコンクリート層(７)との間には、シロアリによって食害される紙材である段ボール(９)が充填されていて、シロアリ通過用の通路となる１ｍｍ以上の隙間(Ｓ)が確保されている。
【００２５】
そして、コンクリート層(７)の上側に、隙間(Ｓ)を塞ぐようにしてバリア層(22)が設けられて、土壌層(４)から隙間(Ｓ)を通って餌木(８)に至るシロアリの通路をバリア層(22)によって遮断している。なお、その他の構成は、上記の第１の実施形態に係る防蟻性能試験装置と同様である。
【００２６】
このようにして構成されている防蟻性能試験装置(１)を使用することで、例えば実際の施工現場において、建物の床下における基礎の立ち上がり部と土間コンクリートとが接する箇所に対応して、土間コンクリートの一部を覆うようにして施工される防蟻用バリア層の防蟻性能を簡単且つ安価に把握することができる。
【００２７】
(第３の実施形態)
図４及び図５は、第３の実施形態に係る防蟻性能試験装置を示している。
【００２８】
この防蟻性能試験装置(30)は、枠体(２)内に、シロアリ暴露地(５)に臨むようにして土壌層(31)が充填されて、この土壌層(31)の略中央部に、配管を想定した管材(32)を上下方向に挿通させている。管材(32)の上端部には、餌木(８)が設置されている。そして、土壌層(31)の上側において管材(32)の外周面と枠体(２)の内周面との間に防蟻用バリア層(33)が充填されるとともに、管材(32)の下端部において管材(32)内に防蟻用バリア層(33)が充填されている。
【００２９】
すなわち、この防蟻性能試験装置(30)においては、シロアリの通路となる管材(32)の外周面及び内周面の所定高さ分がバリア層(33)(33)で覆われて、土壌層(31)から管材(32)の内外周面を通って餌木(８)に至るシロアリの通路をバリア層(33)(33)によって遮断している。なお、その他の構成は、上記の第１の実施形態に係る防蟻性能試験装置と同様である。また、例えば管材(32)の下端部が閉塞されてシロアリが侵入しないようになっていれば、管材(32)内のバリア層(33)は必ずしも設ける必要はない。
【００３０】
このようにして構成されている防蟻性能試験装置(30)を使用することで、実際の施工現場において、例えば建物の床下における配管の挿通箇所に対応して、土壌面の一部を覆うようにして施工される防蟻用バリア層の防蟻性能を把握することができる。
【００３１】
なお、この発明は、上記実施形態に限定されるものではなく、この発明の範囲内で上記実施形態に多くの修正及び変更を加え得ることは勿論である。
【図面の簡単な説明】
【００３２】
【図１】この発明の第１の実施形態に係る防蟻性能試験装置の縦断面図である。
【図２】同じくその分解斜視図である。
【図３】この発明の第２の実施形態に係る防蟻性能試験装置の縦断面図である。
【図４】この発明の第３の実施形態に係る防蟻性能試験装置の縦断面図である。
【図５】同じくその分解斜視図である。
【符号の説明】
【００３３】
(１)(20)(30)  防蟻性能試験装置
(２)  枠体
(４)(21)(31)  土壌層
(６)(22)(33)  防蟻用バリア層
(７)  コンクリート層
(８)  試験体
(９)  紙材
(12)  蓋部材
(14)  コーキング材
(32)  管材
(Ｓ)  隙間
【図１】
2006322719.tif 000003
【図２】
2006322719.tif 000004
【図３】
2006322719.tif 000005
【図４】
2006322719.tif 000006
【図５】
2006322719.tif 000007